(57)【要約】      （修正有）【課題】回線チェックにおける通信コストを大幅に削減できるエレベーターの遠隔監視システムを提供する。【解決手段】監視センターに、監視装置からの一定期間（１回／日）毎の回線チェック発報を所定期間正常に受信したことを検出し、この検出に応じて一定期間（１回／日）より長い期間となる第二の期間（一週間）は回線チェック発報を受信してもその受信信号を送信しないよう処理する回線チェック確認手段を設けたため、正常が確認された監視装置への受信信号の送信回数を削減することができ、それに応じて回線チェックにおける通信コストの削減を達成することが可能となる。【選択図】図２
2006264958.tif 000002
【特許請求の範囲】
【請求項１】
エレベーターの走行状態を監視するとともに一定期間毎に回線チェック発報を行う監視装置と、複数の前記監視装置と通信回線を介して接続され前記回線チェック発報を受信することに応じて受信信号を前記監視装置へ送り返す監視センターとを有して成るエレベーターの遠隔監視システムにおいて、
前記監視センターに、前記監視装置からの一定期間毎の回線チェック発報を所定期間正常に受信したことを検出し、この検出に応じて前記一定期間より長い期間となる第二の期間は前記回線チェック発報を受信してもその受信信号を送信しないよう処理する回線チェック確認手段を設けたことを特徴とするエレベーターの遠隔監視システム。
【請求項２】
請求項１に記載のエレベーターの遠隔監視システムにおいて、
前記回線チェック確認手段は、前記第二の期間に変更後、前記一定期間毎の回線チェック発報を正常に受信できなかったことに応じて、前記第二の期間を元の前記一定期間に戻すよう処理することを特徴とするエレベーターの遠隔監視システム。
【発明の詳細な説明】
【技術分野】
【０００１】
本発明は、エレベーターの遠隔監視システムにおける通信回線のチェックに関する。
【背景技術】
【０００２】
一般的にエレベーターの遠隔監視システムは、エレベーターの走行状態を監視するとともに一定期間毎（例えば１回／日）に回線チェック発報を行う監視装置と、複数の前記監視装置と通信回線を介して接続され前記回線チェック発報を受信することに応じて受信信号を前記監視装置へ送り返す監視センターとを有して構成されている。
【０００３】
そして、前記受信信号を監視装置が受信することに応じて、前記通信回線が正常であることをチェックしている。
【０００４】
ところで、前記１回／日の回線チェックでは、通信コストの負担が大きくなってしまうため、従来では他の種類の発報、例えば異常発報などの発報を監視センターで受信したならば、その日は監視装置との間の回線チェックは行わないこととし、通信コストの削減を図ったものが提案されていた（特許文献１参照）。
【特許文献１】特開２０００−０９９８６６公報（段落番号００２５，００２６）
【発明の開示】
【発明が解決しようとする課題】
【０００５】
しかしながら、前記従来技術においても、他の種類の発報、例えば異常発報などの発報を監視センターで受信しなければ、前記１回／日の回線チェックを行わねばならず、通信コストの削減が十分ではないという不都合があった。
【０００６】
本発明はこの不都合を鑑みてなされたもので、その目的は回線チェックにおける通信コストを大幅に削減できるエレベーターの遠隔監視システムを提供するにある。
【課題を解決するための手段】
【０００７】
請求項１に係わる本発明は上記目的を達成するため、エレベーターの走行状態を監視するとともに一定期間毎に回線チェック発報を行う監視装置と、複数の前記監視装置と通信回線を介して接続され前記回線チェック発報を受信することに応じて受信信号を前記監視装置へ送り返す監視センターとを有して成るエレベーターの遠隔監視システムにおいて、前記監視センターに、前記監視装置からの一定期間毎の回線チェック発報を所定期間正常に受信したことを検出し、この検出に応じて前記一定期間より長い期間となる第二の期間は前記回線チェック発報を受信してもその受信信号を送信しないよう処理する回線チェック確認手段を設けたことを特徴とする。
【０００８】
請求項１に係わる本発明によれば、上記の通り、回線チェック確認手段を設けたため、正常が確認された監視装置への前記受信信号の送信回数を削減することができ、それに応じて回線チェックにおける通信コストの削減を達成することが可能となる。
【０００９】
請求項２に係わる本発明は、上記請求項１に係わる発明に加えて、前記回線チェック確認手段は、前記第二の期間に変更後、前記一定期間毎の回線チェック発報を正常に受信できなかったことに応じて、前記第二の期間を元の前記一定期間に戻すよう処理するよう構成したため、前記回線チェックにおける異常検出精度の低下を防止することができる。
【発明の効果】
【００１０】
本発明は、回線チェックにおける通信コストを大幅に削減できるエレベーターの遠隔監視システムを提供することができる。
【発明を実施するための最良の形態】
【００１１】
以下、本発明を実施するための最良の形態を図に基づいて説明する。
【００１２】
図１および図２は、本発明の一実施形態を示している。
【００１３】
ただし、図１は本発明の一実施形態を示すエレベーターの遠隔監視システムの全体構成を示すブロック図、図２は本発明の一実施形態である回線チェック確認手段の動作を示すフローチャートである。
【００１４】
まず、図１を参照して、本実施形態に関わるエレベーター遠隔監視システムの基本的な構成を説明する。
【００１５】
図１において本発明であるエレベーター遠隔監視システムは、エレベーターの走行状態を監視するとともに一定期間（例えば１回／日）毎に回線チェック発報を行う監視装置４と、複数の前記監視装置４と通信回線（公衆回線網）２を介して接続され前記回線チェック発報を受信することに応じて受信信号を前記監視装置４へ送り返す監視センター１とを備えて構成されている。また、エレベーターはビル３内に設置されているものとする。
【００１６】
さらに監視センター１には、監視装置４からの一定期間（例えば１回／日）毎の回線チェック発報を所定期間（例えば一ヶ月間）正常に受信したことを検出し、この検出に応じて前記一定期間（例えば１回／日）より長い期間となる第二の期間（例えば１回／週）は、前記回線チェック発報を受信してもその受信信号を送信しないよう処理する回線チェック確認手段１ａを設けられている。
【００１７】
以下、図１および図２を併用して、本発明の要部である回線チェック確認手段の動作について説明する。
【００１８】
図２に示す通り、監視センター１で監視装置４からの回線チェック発報が受信されたことは回線チェック確認手段１ａで確信される（Ｓ１）。
【００１９】
そしてこの回線チェック発報の受信が、所定期間（例えば一ヶ月間）正常に行われたことを確認できた（Ｓ２）なら、回線チェック発報を受信した受信信号を、正常が確認された監視装置４へ送り返すことを第二の期間（例えば、一週間）停止する（Ｓ３）。また所定期間（例えば一ヶ月間）正常に行われたことを確認できなければ、通常通り、一定期間（例えば１回／日）毎の回線チェック発報に応じて毎回受信信号を監視装置４へ送り返すこととなるため、回線チェックにおける異常検出精度の低下を防止することができる（Ｓ２）。
【００２０】
さらに前記第二の期間（例えば、一週間）受信信号の送信を停止した後に、一定期間（例えば１回／日）毎の回線チェック発報を回線チェック確認手段１ａで正常に受信できなかった場合も、通常通りに戻し、一定期間（例えば１回／日）毎の回線チェック発報に応じて毎回受信信号を監視装置４へ送り返すこととなるため、回線チェックにおける異常検出精度の低下を防止することができる（Ｓ５）。
【００２１】
そして、また、所定期間（例えば一ヶ月間）正常に行われたことを確認できた（Ｓ６）なら、正常が確認された監視装置４へ送り返すことを第二の期間（例えば、一週間）停止することとする（Ｓ３）。
【００２２】
本発明によれば、上記の通り、回線チェック確認手段１ａを設けたため、正常が確認された監視装置４への前記受信信号の送信回数を削減することができ、それに応じて回線チェックにおける通信コストの削減を達成することが可能となる。
【００２３】
さらにまた本発明は、上記発明に加えて、前記回線チェック確認手段１ａは、前記第二の期間（例えば１回／週）に変更後、前記一定期間（例えば１回／日）毎の回線チェック発報を正常に受信できなかったことに応じて、前記第二の期間（例えば１回／週）の元の前記一定期間（例えば１回／日）に戻すように処理するよう構成したため、前記回線チェックにおける異常検出精度の低下を防止することができる。
【図面の簡単な説明】
【００２４】
【図１】本発明の一実施形態を示すエレベーターの遠隔監視システムの全体構成を示すブロック図。
【図２】本発明の一実施形態である回線チェック確認手段の動作を示すフローチャート。
【符号の説明】
【００２５】
１  監視センター
１ａ  回線チェック確認手段
２  公衆回線網（通信回線）
３  ビル
４  エレベーター監視装置
【図１】
2006264958.tif 000003
【図２】
2006264958.tif 000004